(57)【特許請求の範囲】
【請求項１】
パネル本体に長穴部を有し厚さ方向に貫通するフック取付穴が形成されたディスプレイパネルと、前記ディスプレイパネルに取付けられるディスプレイフックと、を備えたてディスプレイセットであって、
前記ディスプレイフックは、
対象物を保持するフック本体部と、平板状に形成され前記フック本体部の基端側に接続され前記ディスプレイパネルに取付けられる基端部と、を有するディスプレイフック本体と、
平板状に形成され前記基端部と係合して前記ディスプレイフック本体を前記ディスプレイパネルに装着する係止部材と、
を備え、
前記基端部及び前記係止部材は、前記フック取付穴に挿入された状態で前記ディスプレイパネルを支持するとともに前記基端部の面及び前記係止部材の面は前記ディスプレイパネルの面と直交して配置され、かつ前記ディスプレイパネルの厚さ方向の軸線に沿って見たときに、前記基端部の面と前記係止部材の面は互いに交差して配置されている
ことを特徴とするディスプレイセット。
【請求項２】
請求項１に記載のディスプレイセットであって、
前記ディスプレイフックは、
前記基端部と前記係止部材のいずれか一方は、
前記ディスプレイパネルの厚さ方向における一方側の面から挿入されて前記ディスプレイパネルの厚さ方向に沿った軸線の周りに回動された状態で、前記ディスプレイパネルの一方側に配置される第１壁部と、前記第１壁部の他方側に形成され前記ディスプレイパネルの一方側の面を支持する第１支持部と、前記ディスプレイパネルの他方側に配置される第２壁部と、前記第２壁部の一方側に形成され前記ディスプレイパネルの他方側の面を支持する第２支持部と、前記第１壁部と前記第２壁部とを連結する第１連結部と、前記第２壁部の他方側に開口する第１係合部と、を有し、
前記基端部と前記係止部材の他方は、
前記ディスプレイパネルの他方側の面から挿入された状態で、前記ディスプレイパネルの一方側に配置される第３壁部と、前記第３壁部の他方側に形成され前記ディスプレイパネルの一方側の面を支持する第３支持部と、前記第３支持部と接続され前記第３支持部を変位させる弾性変形部と、前記ディスプレイパネルの他方側に配置される第４壁部と、前記第４壁部の一方側に形成され前記ディスプレイパネルの他方側の面を支持する第４支持部と、前記第３壁部と前記第４壁部とを連結する第２連結部と、前記第３壁部の一方側に開口し、前記ディスプレイパネルの厚さ方向の軸線に沿って見たときに前記第２壁部と交差する向きに前記第１係合部と係合する第２係合部と、を有している
ことを特徴とするディスプレイセット。
【請求項３】
請求項２に記載のディスプレイセットであって、
前記ディスプレイフックは、
前記第１壁部に形成され、厚さ方向に貫通する係止穴と、
前記第３壁部に形成され、前記係止穴と係合する係合突部と、前記係合突部の位置を変位させる係合突部弾性変形部と、
を備えていることを特徴とするディスプレイセット。
【請求項４】
請求項３に記載のディスプレイセットであって、
前記ディスプレイフックは、
前記係止穴と前記第１壁部の外周縁とを接続する接続溝を備えている
ことを特徴とするディスプレイセット。
【請求項５】
請求項１〜４のいずれか一項に記載のディスプレイセットであって、
前記ディスプレイフックは、
前記ディスプレイフック本体と、前記係止部材は、紙材料により形成されている
ことを特徴とするディスプレイセット。
【請求項６】
請求項１〜５のいずれか一項に記載のディスプレイセットであって、
前記ディスプレイパネルに、前記ディスプレイフックが取り付けられていること
を特徴とするディスプレイセット。
【発明の詳細な説明】
【技術分野】
【０００１】
この発明は、対象物を展示するためのディスプレイセットに関する。
【背景技術】
【０００２】
周知のように、陳列品を吊り下げるために、種々のディスプレイフックやディスプレイセットが広く用いられている（例えば、特許文献１、２参照。）。
このようなディスプレイフックは、ディスプレイパネルに取付けた場合に充分な強度を確保する必要がある。
【０００３】
そこで、ディスプレイフックの取付部の大きさ、形状、取り付け構造を工夫して、適度な強度が確保されている。また、ディスプレイフックをディスプレイパネルに装着するための取付構造については、種々の構造が提案されているが、形状が複雑なことからプラスチック等の成形性が高い材料が用いられている。
【０００４】
一方、構造的に容易に製作が可能で、意匠性を向上させるために、平板状に形成したディスプレイフックが提案されている（例えば、特許文献３参照。）。
【先行技術文献】
【特許文献】
【０００５】
【特許文献１】特開２０１１−２５５０８３号公報
【特許文献２】特開２０１６−２１４６２０号公報
【特許文献３】意匠登録第１０８１４２９号公報
【発明の概要】
【発明が解決しようとする課題】
【０００６】
しかしながら、特許文献３に開示されたディスプレイフックは、ディスプレイパネルにしっかり固定することは容易ではなく、横方向にはディスプレイフックとディスプレイパネルの厚み分しか保持する形状部がないことから、取り付けられたディスプレイフックはぐらぐらして不安定になる。また、先行技術文献３に示した形状では、ディスプレイフックに下側からの負荷がかかると、ディスプレイフックが上方に浮き上がって、ディスプレイパネルからはずれてしまう可能性がある。
【０００７】
また、近年、物品吊下げ用のディスプレイセットでは、従来、ボードが合紙でディスプレイフックがプラスチック製のものが主流であるが、ごみとして処分する場合に分別が必要となり取扱いが煩雑である。また、プラスチック製のディスプレイフックは、マイクロプラスチックによる海洋汚染や地球温暖化など環境問題の観点から、脱プラスチックが重要視されており、ディスプレイフックとディスプレイパネルをともに紙材料等の強度が弱い材料で平板状に構成する必要性が高まっている。
【０００８】
本発明は、このような事情を考慮してなされたものであり、ディスプレイフック本体の基端部と、係止部材が、平板状に形成されていても、ディスプレイパネルに安定的に取り付けることが可能なディスプレイセットを提供することを目的とする。
【課題を解決するための手段】
【０００９】
上記課題を解決するために、この発明は以下の手段を提案している。
（１）本発明の第１態様は、パネル本体に長穴部を有し厚さ方向に貫通するフック取付穴が形成されたディスプレイパネルに取付けられてディスプレイセットを構成するディスプレイフックであって、対象物を保持するフック本体部と、平板状に形成され前記フック本体部の基端側に接続され前記ディスプレイパネルに取付けられる基端部と、を有するディスプレイフック本体と、平板状に形成され前記基端部と係合して前記ディスプレイフック本体を前記ディスプレイパネルに装着する係止部材と、を備え、前記基端部及び前記係止部材は、前記フック取付穴に挿入された状態で前記ディスプレイパネルを支持するとともに前記基端部の面及び前記係止部材の面は前記ディスプレイパネルの面と直交して配置され、かつ前記ディスプレイパネルの厚さ方向の軸線に沿って見たときに、前記基端部の面と前記係止部材の面は互いに交差して配置されていることを特徴とする。
【００１０】
この発明に係るディスプレイフックによれば、ディスプレイフック本体の基端部及び係止部材が、フック取付穴に挿入された状態でディスプレイパネルを支持するとともに基端部の面及び係止部材の面がディスプレイパネルの面と直交して配置され、かつディスプレイパネルの厚さ方向の軸線に沿って見たときに、基端部の面と係止部材の面は互いに交差（例えば、互いに直交）して配置されているので、ディスプレイパネル、基端部、係止部材が、互いの面に対して面外変形（面と直交する方向の変形）を抑制するように支え合い、基端部と係止部材を組み合わせた強度が向上するとともに、ディスプレイフックがディスプレイパネルにしっかりと固定される。
その結果、ディスプレイフック本体の基端部と、係止部材が、平板状に形成されていても、ディスプレイパネルに安定的に取り付けることができる。
【００１１】
ここで、フック本体部の構成は、平板状、丸棒、多角形の棒状、Ｊ字形、Ｕ字形、基端部と一体に形成された凹部等、任意に設定してもよい。
また、フック本体部と基端部を一体とするか別々に形成したものを連結して接続するかや、フック本体部、基端部、係止部材を同材料で形成するか異なる材料で形成するかについては任意に設定してもよい。
また、フック本体部の基端側は、対象物を保持する部分以外であれば任意に設定してもよい。具体的には、対象物の保持（例えば、吊り掛け）に支障が生じない部位に任意に設定してもよく、長尺な形状の端部、Ｊ字形、Ｕ字形等の端部や軸の周面であってもよいし、基端部と一体に形成された保持部（例えば、吊掛凹部）の周縁部等とされてもよい。
【００１２】
（２）上記（１）項に記載のディスプレイフックは、前記基端部と前記係止部材のいずれか一方が、前記ディスプレイパネルの厚さ方向における一方側の面から挿入されて前記ディスプレイパネルの厚さ方向に沿った軸線の周りに回動された状態で、前記ディスプレイパネルの一方側に配置される第１壁部と、前記第１壁部の他方側に形成され前記ディスプレイパネルの一方側の面を支持する第１支持部と、前記ディスプレイパネルの他方側に配置される第２壁部と、前記第２壁部の一方側に形成され前記ディスプレイパネルの他方側の面を支持する第２支持部と、前記第１壁部と前記第２壁部とを連結する第１連結部と、前記第２壁部の他方側に開口する第１係合部と、を有し、前記基端部と前記係止部材の他方は、前記ディスプレイパネルの他方側の面から挿入された状態で、前記ディスプレイパネルの一方側に配置される第３壁部と、前記第３壁部の他方側に形成され前記ディスプレイパネルの一方側の面を支持する第３支持部と、前記第３支持部と接続され前記第３支持部を変位させる弾性変形部と、前記ディスプレイパネルの他方側に配置される第４壁部と、前記第４壁部の一方側に形成され前記ディスプレイパネルの他方側の面を支持する第４支持部と、前記第３壁部と前記第４壁部とを連結する第２連結部と、前記第３壁部の一方側に開口し、前記ディスプレイパネルの厚さ方向の軸線に沿って見たときに前記第２壁部と交差する向きに前記第１係合部と係合する第２係合部と、を有していてもよい。
【００１３】
この発明に係るディスプレイフックによれば、基端部と係止部材のいずれか一方が、ディスプレイパネルの厚さ方向の一方側の面から挿入されてディスプレイパネルを厚さ方向に横切るとともに、軸線の周りに回動されてフック取付穴の長手方向と交差する位置で、第１壁部に形成された第１支持部がディスプレイパネルの一方側の面を支持し、第２壁部に形成された第２支持部がディスプレイパネルの他方側の面を支持する。また、基端部と係止部材の他方が、第３壁部に形成された第３支持部が弾性変形部により変位されてディスプレイパネルの他方側の面から挿入されて、第３支持部がディスプレイパネルの一方側の面を支持し、第４壁部に形成された第４支持部がディスプレイパネルの他方側の面を支持する。また、その状態で、第１係合部と第２係合部が、ディスプレイパネルの厚さ方向の軸線に沿って見たときに交差する向きに係合するので、ディスプレイフックがディスプレイパネルに容易かつしっかりと取り付けられる。
その結果、ディスプレイフックをディスプレイパネルに容易かつ安定的に取り付けることができる。
【００１４】
ここで、ディスプレイパネルの一方側と他方側のいずれの面をディスプレイセットの表面（ディスプレイ本体が位置される側の面）とするかは任意に設定することができる。
【００１５】
（３）上記（２）項に記載のディスプレイフックは、前記第１壁部に形成され、厚さ方向に貫通する係止穴と、前記第３壁部に形成され、前記係止穴と係合する係合突部と、前記係合突部の位置を変位させる係合突部弾性変形部と、を備えていてもよい。
【００１６】
この発明に係るディスプレイフックによれば、第１壁部に係止穴が形成され、第３壁部に係止穴と係合する係合突部が形成され、係合突部弾性変形部によって係合突部の位置が変位可能とされているので、係合突部が係止穴と係合するまでは係合突部弾性変形部によって、係合突部が基端部の表面に沿って移動することが可能となり、係合突部の位置が係止穴と一致することで、係合突部と係止穴が係合する。
その結果、基端部と係止部材が、ディスプレイパネルの厚さ方向に沿った軸線方向に移動することが抑制されて、基端部と係止部材がしっかりと固定される。
【００１７】
（４）上記（３）項に記載のディスプレイフックは、前記係止穴と前記第１壁部の外周縁とを接続する接続溝を備えていてもよい。
【００１８】
この発明に係るディスプレイフックによれば、係止穴と第１壁部の外周縁とを接続する（係止穴と一体的に形成された）接続溝を備えているので、打ち抜きによって第１壁部の外周縁を形成する際に、係合穴を一つの工程で形成することができる。
【００１９】
（５）上記（１）〜（４）のいずれか一項に記載のディスプレイフックは、前記ディスプレイフック本体と、前記係止部材は、紙材料により形成されていてもよい。
【００２０】
この発明に係るディスプレイフックによれば、ディスプレイフック本体と、係止部材が、紙材料により形成されているので、ディスプレイパネルが紙材料で形成されて場合には、分別することなく、ごみとして処分することができる。
また、脱プラスチックにより、マイクロプラスチックによる海洋汚染や地球温暖化など環境問題に対応することが可能である。
【００２１】
ここで、紙材料とは、植物繊維その他の繊維を膠着させることにより、植物などの繊維を絡ませながら薄く平（たいら）に成形したものをいう。例えば、合紙やバルガナイズドファイバー、紙紛を合成樹脂と混錬し作成するシート状の素材等を含むものとする。
また、バルガナイズドファイバーとは、紙を薬品処理することでセルロースをナノオーダーまで解繊後、強固に結び付けて圧縮固化したものをいう。
【００２２】
（６）本発明の第２態様は、ディスプレイセットであって、上記（１）〜（５）のいずれか一項に記載のディスプレイフックと、パネル本体に長穴部を有し厚さ方向に貫通するフック取付穴が形成されたディスプレイパネルと、を備えていることを特徴とする。
【発明の効果】
【００２３】
この発明に係るディスプレイフック、ディスプレイパネルによれば、ディスプレイフック本体の基端部と、係止部材が、平板状に形成されていても、ディスプレイパネルに容易かつ安定的に取り付けることができる。
【図面の簡単な説明】
【００２４】
【図１】本発明の第１実施形態に係るディスプレイセットの概略構成を説明する斜視図である。
【図２】第１実施形態に係るディスプレイセットの概略構成を説明するディスプレイフックを分解した斜視図である。
【図３Ａ】第１実施形態に係るディスプレイセットの概略構成を説明する表面側（一方側）から見た斜視図である。
【図３Ｂ】第１実施形態に係るディスプレイセットの概略構成を説明する表面側（一方側）からパネル本体の厚さ方向に沿って見た図である。
【図４Ａ】第１実施形態に係るディスプレイセットの概略構成を説明する裏面側（他方側）から見た斜視図である。
【図４Ｂ】第１実施形態に係るディスプレイセットの概略構成を説明する裏面側（他方側）からパネル本体の厚さ方向に沿って見た図である。
【図５】第１実施形態に係るディスプレイセットの概略構成を説明する上方から見た図である。
【図６】第１実施形態に係るディスプレイセットの概略構成を説明する側面から見た図である。
【図７】第１実施形態に係るディスプレイパネルの概略構成を説明する図であり、フック取付穴をパネル本体の厚さ方向に沿って見た図である。
【図８Ａ】第１実施形態に係るディスプレイフック本体の概略構成を説明する側面図である。
【図８Ｂ】第１実施形態に係るディスプレイフック本体の詳細を説明する基端部の拡大図である。
【図９】第１実施形態に係る係止部材の概略構成を説明する上方から見た図である。
【図１０Ａ】第１実施形態に係るディスプレイパネルのフック取付穴の寸法を説明する図である。
【図１０Ｂ】第１実施形態に係るディスプレイフック本体の基端部の寸法を説明する図である。
【図１０Ｃ】第１実施形態に係る係止部材の寸法を説明する図である。
【図１１Ａ】第１実施形態に係るディスプレイフック取付方法の概略を説明するディスプレイフックを取付穴に挿入する状態を示す斜視図である。
【図１１Ｂ】第１実施形態に係るディスプレイフック取付方法の概略を説明するディスプレイフックが取付穴に挿入された状態を示す斜視図である。
【図１１Ｃ】第１実施形態に係るディスプレイフック取付方法の概略を説明するディスプレイフックを取付穴に対して回動した状態を示す斜視図である。
【図１１Ｄ】第１実施形態に係るディスプレイフック取付方法の概略を説明するディスプレイフックに対して係止部材を装着する状態を示す斜視図である。
【図１１Ｅ】第１実施形態に係るディスプレイフック取付方法の概略を説明するディスプレイセットの組立てが完了した状態を示す斜視図である。
【図１２】本発明の第２実施形態に係るディスプレイフック本体の概略構成を説明する概略構成図である。
【図１３】本発明の第３実施形態に係るディスプレイフックの概略構成を説明する分解した斜視図である。
【図１４Ａ】第３実施形態に係るディスプレイセットの概略構成を説明する表面側（他方側）から見た斜視図である。
【図１４Ｂ】第３実施形態に係るディスプレイセットの概略構成を説明する表面側（他方側）からパネル本体の厚さ方向に沿って見た図である。
【図１５Ａ】第３実施形態に係るディスプレイセットの概略構成を説明する裏面側（一方側）から見た斜視図である。
【図１５Ｂ】第３実施形態に係るディスプレイセットの概略構成を説明する裏面側（一方側）からパネル本体の厚さ方向に沿って見た図である。
【図１６】第３実施形態に係るディスプレイセットの概略構成を説明する上方から見た図である。
【図１７】第３実施形態に係るディスプレイセットの概略構成を説明する側面から見た図である。
【図１８】第３実施形態に係るディスプレイフック本体の概略構成を説明する側面図である。
【図１９】第３実施形態に係る係止部材の概略構成を説明する上方から見た図である。
【図２０Ａ】第３実施形態に係るディスプレイフック取付方法の概略を説明する係止部材を裏面側（一方側）から取付穴に挿入する状態を示す斜視図である。
【図２０Ｂ】第３実施形態に係るディスプレイフック取付方法の概略を説明する取付穴に挿入された係止部材が回動される状態を示す斜視図である。
【図２０Ｃ】第３実施形態に係るディスプレイフック取付方法の概略を説明する係止部材に対してディスプレイフックを装着する状態を示す斜視図である。
【発明を実施するための形態】
【００２５】
＜第１実施形態＞
以下、図１〜図１０及び図１１Ａ〜図１１Ｅを参照して、本発明の第１実施形態について説明する。
図１は、第１実施形態に係るディスプレイセットの概略構成を説明する斜視図であり、図２は、ディスプレイセットの概略構成を説明するディスプレイフックを分解した斜視図であり、図３Ａ〜図６は、第１実施形態に係るディスプレイセットにおけるディスプレイフックの概略構成を説明する拡大した図である。なお、図２に示したディスプレイフック本体１１は、ディスプレイパネル２に取付けられた状態における向きに示している。
【００２６】
図１〜図１１Ｂにおいて、符号１はディスプレイセットを、符号２はディスプレイパネルを、符号２１はパネル本体（ボード）を、符号１０はディスプレイフックを、符号１１はディスプレイフック本体を、符号１５は係止部材を示している。また、符号Ａは表面側（一方側）を、符号Ｂは裏面側（他方側）を、符号Ｌは表面（一方）側から見たときの左側を、符号Ｒは右側を示している。また、符号Ｏ１は、パネル本体２１のフック取付穴２２の上下方向及び幅方向に配置された厚さ方向に沿った軸線を示している。
【００２７】
ディスプレイセット１は、図１に示すように、例えば、ディスプレイパネル２と、ディスプレイパネル２に取付けられた複数のディスプレイフック１０と、を備えている。
ディスプレイフック１０の数、配置については任意に設定することが可能であるが、この実施形態では、例えば、９個（上下方向３列、横方向３列）のディスプレイフック１０が配列されている。なお、ディスプレイフック１０を１個だけ備えた構成としてもよい。
【００２８】
ディスプレイパネル２は、図２に示すように、例えば、パネル本体２１と、パネル本体２１を厚さ方向に貫通するフック取付穴２２とを備え、外形が矩形に形成されている。
なお、ディスプレイパネル２は、例えば、フック取付穴２２から離れていてディスプレイフック１０と接さない領域については、凹凸面（例えば、曲面等）が形成されていてもよい。
【００２９】
ディスプレイフック１０は、図２に示すように、例えば、ディスプレイフック本体１１と、係止部材１５と、を備えている。
ディスプレイフック本体１１は、例えば、フック本体部１２と、フック本体部１２の基端側１２Ｅと一体的に接続された基端部１４と、を備えている。
【００３０】
ディスプレイフック本体１１は、ディスプレイパネル２の表面側（一方側Ａ）からフック取付穴２２に挿入されて、フック取付穴２２の厚さ方向に沿った軸線Ｏ１周りに回動されている。
また、係止部材１５は、ディスプレイパネル２の裏面側（他方側Ｂ）からフック取付穴２２に挿入されている。
そして、ディスプレイフック本体１１と係止部材が互いに係合されることによりディスプレイパネル２に取付けられている。
【００３１】
ディスプレイフック本体１１は、図３Ａ〜図６に示すように、基端部１４がフック取付穴２２に挿入された状態で、基端部１４の平板をなす面方向がディスプレイパネル２をなす平板の面方向と直交して配置されるとともに、ディスプレイパネル２の表面側Ａ及び裏面側Ｂを支持する。
【００３２】
また、係止部材１５は、フック取付穴２２に挿入された状態で、係止部材１５の平板をなす面方向がディスプレイパネル２をなす平板の面方向と直交して配置されるとともに、ディスプレイパネル２の表面側Ａ及び裏面側Ｂを支持する。
【００３３】
さらに、基端部１４の面方向と係止部材１５の面方向は、軸線Ｏ１に沿って見たときに、互いに直交（交差）して配置されて、基端部１４と係止部材が互いに支持する。
【００３４】
このようにして、ディスプレイパネル２、ディスプレイフック本体１１、係止部材１５が、互いの面に対して面外変形（面と直交する方向の変形）を抑制するように支え合い、ディスプレイフック本体１１と係止部材１５を組み合わせた強度が向上するとともに、ディスプレイフック１０がディスプレイパネル２にしっかりと固定される。
その結果、ディスプレイフック本体１１の基端部１４と、係止部材１５が、平板状に形成されていても、ディスプレイパネル２に安定的に取り付けることができる。
【００３５】
この実施形態において、ディスプレイパネル（パネル本体２１）２、ディスプレイフック本体１１、係止部材１５は、図２に示すように、例えば、ディスプレイパネル２が厚さｔ０、ディスプレイフック本体１１が厚さｔ１、係止部材１５が厚さｔ２の平板状に形成されている。
【００３６】
ディスプレイパネル２、ディスプレイフック本体１１、係止部材１５は、この実施形態において、例えば、紙材料により形成されている。ディスプレイパネル２、ディスプレイフック本体１１、係止部材１５を形成する材料については任意に設定することが可能であるが、環境問題等の観点から、例えば、バルガナイズドファイバー等の紙材料により形成することが好適である。なお、プラスチック材料や木材等、金属を用いて形成してもよいし、これらを組み合わせて構成してもよい。
また、ディスプレイパネル２、ディスプレイフック本体１１、係止部材１５を別の材料で形成してもよいし、異なる紙材料で形成してもよい。
【００３７】
以下、図７〜図１０Ｃを参照して、第１実施形態に係るフック取付穴、ディスプレイフック本体、係止部材の概略構成について説明する。
図７は、第１実施形態に係るフック取付穴をパネル本体、図８Ａ、図８Ｂは、ディスプレイフック本体、図９は、係止部材の概略構成を説明する図である。
【００３８】
フック取付穴２２は、図７に示すように、例えば、パネル本体２１を表面（一方側Ａ）から厚さ方向の軸線Ｏ１に沿って見たときに、横方向（左右ＬＲ方向）に伸びる長尺の長穴部２３と、円形穴部２４とを備えている。
円形穴部２４は、例えば、長穴部２３の長手方向（横方向）及び幅方向（上下方向）の中央部に配置され、軸線Ｏ１を中心とする円形状に形成されている。
フック取付穴２２が円形穴部２４を備えるかどうかは任意に設定可能であるが、後述するディスプレイフック１０の第１連結部１４３を大きくして安定的に取り付けるうえで、円形穴部２４を備えていることが好適である。
【００３９】
ディスプレイフック本体１１は、図８Ａ、図８Ｂに示すように、例えば、フック本体部１２と、フック本体部１２の基端側１２Ｅに一体的に接続された基端部１４と、を備えている。この実施形態において、フック本体部１２の基端側１２Ｅは、基端部１４の一方側Ａに配置された仮想外縁部１４１Ｄに接続されている。具体的には、仮想外縁部１４１Ｄのうち、軸線Ｏ１の近傍に接続されている。ここで、仮想外縁部１４１Ｄとは、第１壁部１４１のうち、パネル本体２１に装着された状態でパネル本体２１の一方側Ａ（表面側）に露出する部分の外周縁であり、フック本体部１２が接続されていない基端部１４単体における外縁部を概念的に示すものとする。したがって、フック本体部１２がない状態で、外縁部という場合がある。
【００４０】
フック本体部１２は、図８Ａに示すように、例えば、長尺平板状に形成されている。そして、先端側１２Ｆに向かうにしたがって上方（例えば、軸線Ｏ１に対して）に傾斜するとともに先端部に上方に屈曲する屈曲部１２１が形成されている。
そして、フック本体部１２には、展示品等の対象物を保持可能とされている。ここで、保持とは、吊り掛けることのほか、フック本体部１２に配置されたクリップで把持すること等を含む。
【００４１】
基端部１４は、図８Ｂに示すように、例えば、第１壁部１４１と、第１壁部１４１の他方側Ｂに配置された第２壁部１４２と、第１支持部１４１Ｓと、第２支持部１４２Ｓと、第１壁部１４１と第２壁部１４２とを連結する第１連結部１４３と、第２壁部１４２の他方側Ｂに開口する第１係合部１４５と、第１壁部１４１に形成され厚さ方向に貫通する係止穴１４６と、係止穴１４６と第１壁部１４１の外周縁とを接続する接続溝１４７と、を備えている。
また、第１壁部１４１と第２壁部１４２は、第１溝部１４３Ｕを挟んで配置されている。
【００４２】
第１支持部１４１Ｓは、例えば、第１壁部１４１の他方側Ｂに形成されている。具体的には、第１壁部１４１の第１溝部１４３Ｕと対向する位置（端面）に形成されている。
そして、第１支持部１４１Ｓは、ディスプレイパネル２に装着した状態で、ディスプレイパネル２の表面（一方側Ａの面）と当接して、表面を支持するように構成されている。
【００４３】
第２支持部１４２Ｓは、例えば、第２壁部１４２の一方側Ａに形成されている。具体的には、第２壁部１４２の第１溝部１４３Ｕと対向する位置（端面）に形成されている。
そして、第２支持部１４２Ｓは、ディスプレイパネル２に装着した状態で、ディスプレイパネル２の裏面（他方側Ｂの面）と当接して、裏面を支持するように構成されている。
【００４４】
第１連結部１４３は、図８Ｂに示すように、第１溝部１４３Ｕと第１溝部１４３Ｕの間に形成され、第１壁部１４１の中央部と第２壁部１４２の中央部を連結している。
【００４５】
第１係合部１４５は、第２壁部１４２の他方側Ｂに開口し一方側Ａに向かって伸びる第１係合溝部１４５Ｕと、第１係合溝部１４５Ｕの一方側Ａに位置される平坦壁部１４５Ｐにより構成されている。
【００４６】
係止穴１４６は、第１壁部１４１の幅方向（装着した状態の上下方向）における中央に形成されている。具体的には、基端部１４が円形穴部２４に対して回動されたときに、フック取付穴２２の軸線Ｏ１と対応して（軸線Ｏ１上）に形成されている。
【００４７】
接続溝１４７は、係止穴１４６と第１壁部１４１の外周縁とを接続している。具体的には、外方に向かって突出する略Ｌ字形の溝からなり、係止穴１４６と第１溝部１４３Ｕとを接続する。
【００４８】
係止部材１５は、図９に示すように、例えば、第３壁部１５１と、第３壁部１５１の他方側Ｂに第４壁部１５２と、第３壁部１５１と第４壁部１５２とを連結する第２連結部１５３と、第３支持部１５１Ｓと、第４支持部１５２Ｓと、第３支持部１５１Ｓと接続され第３支持部１５１Ｓの位置を左右ＬＲ方向に変位させる弾性変形部１５４と、第３壁部１５１の一方側Ａに開口する第２係合部１５５と、第３壁部１５１に形成され、基端部１４の係止穴１４６と係合する係合突部１５６と、係合突部１５６の位置を変位させる係合突部弾性変形部１５７と、を備えている。また、第４壁部１５２の他方側Ｂには外縁部１５２Ｄが形成されている。外縁部１５２Ｄは仮想外縁部（外縁部）１４１Ｄと同様である。
【００４９】
第３支持部１５１Ｓは、例えば、第３壁部１５１の他方側Ｂに形成されている。具体的には、第３壁部１５１の他方側Ｂにおけるフック取付穴２２の長手方向よりも外方に位置される端面に形成されている。
そして、第３支持部１５１Ｓは、ディスプレイパネル２に装着した状態で、ディスプレイパネル２の表面（一方側Ａの面）と当接して、表面を支持するように構成されている。
また、第３支持部１５１Ｓの左右ＬＲ方向の内方には、フック取付穴２２に引っかかり、軸線O１周りの回動を抑制するための引掛り突部１５１Ｔが形成されている。なお、引掛り突部１５１Ｔを形成するかどうかは任意に設定してもよい。
【００５０】
第４支持部１５２Ｓは、例えば、第４壁部１５２の一方側Ａに形成されている。具体的には、第４壁部１５２の一方側Ａにおけるフック取付穴２２の長手方向よりも外方に位置される端面に形成されている。
そして、第４支持部１５２Ｓは、ディスプレイパネル２に装着した状態で、ディスプレイパネル２の裏面（他方側Ｂの面）と当接して、裏面を支持するように構成されている。
【００５１】
弾性変形部１５４は、第３壁部１５１の一方側Ａ（先端側）と第３支持部１５１Ｓを接続する接続壁部１５４Ａと、溝部１５４Ｕとを備えている。そして、溝部１５４Ｕの幅が縮小されることにより、第３支持部１５１Ｓの位置が左右ＬＲ方向の内方に変位して第３支持部１５１Ｓがフック取付け穴２２を通過可能に構成されている。
【００５２】
第２係合部１５５は、図９に示すように、第３壁部１５１の一方側Ａに開口し他方側Ｂに向かって伸びる第２係合溝部１５５Ｕと、第２係合溝部１５５Ｕの他方側Ｂに位置される平坦壁部１５５Ｐにより構成されている。
また、第２係合溝部１５５Ｕは、第３壁部１５１、第２連結部１５３、第４壁部１５２の一部を、左右ＬＲ方向に分離している。
【００５３】
係合突部１５６は、例えば、前後ＡＢ方向における基端部１４の係止穴１４６と対応する位置に配置され、第２係合溝部１５５Ｕ内に突出して形成されている。
そして、係合突部１５６は、係止穴１４６に挿入されて係合することで、基端部１４と係止部材１５を前後ＡＢ方向で係止するようになっている。
【００５４】
係合突部弾性変形部１５７は、係合突部１５６と第３壁部１５１の先端側（一方側Ａ）と第３支持部１５１Ｓを接続する接続壁部１５７Ａと、溝部１５７Ｕとを備えている。そして、溝部１５７Ｕの左右ＬＲ方向の幅が縮小（変化）することにより、係止突部１５６の位置が左右ＬＲ方向の外方（軸線Ｏ１から離れる側）に変位し、係合突部１５６が係止穴１４６に挿入されるまで、基端部１４の表面を移動可能とされている。
【００５５】
次に、図１０Ａ〜図１０Ｃを参照して、フック取付穴２２、基端部１４、係止部材１５の相互の寸法関係について説明する。図１０Ａ〜図１０Ｃは、それぞれフック取付穴２２、基端部１４、係止部材１５の寸法を示す図である。
上述のように、第１実施形態において、ディスプレイパネル（パネル本体２１）２は厚さｔ０、ディスプレイフック本体１１は厚さｔ１、係止部材１５は厚さｔ２の平板状に形成されている。なお、ディスプレイフック本体１１の厚さｔ１、係止部材１５の厚さｔ２は、任意に設定することが可能であり、同じ厚さとしてもよいし、異なる厚さとしてもよい。ディスプレイパネル２の厚さｔ０についても同様である。
【００５６】
フック取付穴２２は、図１０Ａに示すように、例えば、長穴部２３の左右ＬＲ方向は長さＬ１、上下方向は幅Ｌ２、円形穴部２４は直径Ｌ３に形成されている。そして、幅Ｌ２が基端部１４の厚さｔ１、係止部材１５の厚さｔ２と対応する寸法に形成されている。基端部１４の厚さｔ１、係止部材１５の厚さｔ２が異なる場合には、係止部材１５の厚さｔ２（＞ｔ１）と対応させる。
ここで、寸法を対応させるとは、挿入が可能でかつぐらつかない程度（例えば、クリアランスがゼロ）の寸法であることをいう。
【００５７】
基端部１４は、図１０Ｂに示すように、第２壁部１４２の上下方向幅Ｌ１１、第１壁部１４１の上下方向幅Ｌ１２、第１溝部１４３Ｕの幅（第１支持部１４１Ｓと第２支持部１４２Ｓの間隔）Ｌ１３、係合穴１４６の上下方向幅Ｌ１４、第１係合溝１４５Ｕの上下方向幅Ｌ１５、第１連結部１４３の上下方向幅Ｌ１６に設定されている。
【００５８】
そして、この実施形態では、例えば、第２壁部１４２の幅Ｌ１１＜長穴部２３の幅Ｌ１＜第１壁部１４１の幅Ｌ１２とされている。なお、第２壁部１４２の幅Ｌ１１、第１壁部１４１の幅Ｌ１２の寸法は、基端部１４をフック取付穴部２２に対して回動した状態で基端部１４がパネル本体２１を支持可能であれば任意に設定してもよく、例えば、第２壁部１４２の幅Ｌ１１＝第１壁部１４１の幅Ｌ１２に設定してもよい。
また、第１溝部１４３Ｕの幅Ｌ１３はディスプレイパネル２の厚さｔ０と対応し、係合穴１４６の幅Ｌ１４、第１係合溝１５５Ｕの幅Ｌ１５は、係止部材１５の厚さｔ２と対応して形成されている。
また、第１連結１４３の上下方向幅Ｌ１６は、円形穴部２４の直径Ｌ３と対応している。
【００５９】
係止部材１５は、図１０Ｃに示すように、第２係合溝１５５Ｕの幅Ｌ２１、第３支持部１５１同士の外寸法Ｌ２２、内寸法Ｌ２３、第３支持部１５１Ｓと第４支持部１５２Ｓの前後ＡＢ方向の間隔１５３Ｇは寸法Ｌ２４に設定されている。
【００６０】
そして、第２係合溝１５５Ｕの幅Ｌ２１は基端部の厚さｔ１と対応し、第３支持部１５１同士の外寸法Ｌ２２＞長穴部２３の長さＬ１≧内寸法Ｌ２３に形成されている。
また、第３支持部１５１Ｓと第４支持部１５２Ｓの間隔１５３Ｇの寸法Ｌ２４は、ディスプレイパネル２の厚さｔ０と対応して形成されている。
【００６１】
次に、図１１Ａ〜図１１Ｅを参照して、ディスプレイセット１の製造方法（ディスプレイフック取付方法）について説明する。図１１Ａ〜図１１Ｅは、第１実施形態に係るディスプレイフック取付方法の概略を説明する斜視図である。
【００６２】
（１）まず、図１１Ａに示すように、ディスプレイパネル２の表面側（一方側Ａ）から、矢印Ｔ１方向に、フック取付穴２２にディスプレイフック１１の基端部１４を挿入する。
具体的には、基端部１４の第２壁部１４２を取付穴２２を介してディスプレイパネル２の裏面側（他方側Ｂ）まで挿入する。
このとき、第１連結部１４３は、パネル本体２１の厚さ方向において、第１溝部１４３Ｕがフック取付穴２２と対応するように挿入する。
【００６３】
（２）次に、図１１Ｂに示すように、ディスプレイフック本体１１を、フック取付穴２２に対して矢印Ｃ１方向に回動する。
【００６４】
（３）ディスプレイフック本体１１は、図１１Ｃに示すように、取付穴２２の長穴部２３に対して交差する向きに回動される。具体的には、第１連結部１４３が、円形穴部２４内で軸線Ｏ１の周りに９０°回動されて、長穴部２３と直交（交差）する向きに配置する。
その結果、基端部１４は、ディスプレイパネル２を表面側と裏面側から支持する。
【００６５】
（４）次いで、図１１Ｄに示すように、ディスプレイパネル２の裏面側（他方側Ｂ）から、矢印Ｔ２方向に、フック取付穴２２に係止部材１５を挿入する。
具体的には、係止部材１５の第３壁部１５１を取付穴２２を介してディスプレイパネル２の表面側（一方側Ａ）まで挿入する。このとき、第３支持部１５１Ｓは、弾性変形部１５４によって、フック取付穴２２、より具体的には長穴部２３の幅よりも内方まで変位して、フック取付穴２２を通過する。
また、係合突部１５６は、係合突部弾性変形部１５７によって、基端部１４の表面まで位置が変位する。そして、係合突部１５６は、基端部１４の表面を摺動して係合穴１４６に到達したときに、係合穴１４６と係合して、係止部材１５は、ディスプレイフック本体に係止される。
また、第２係合部１５５は、ディスプレイフック本体１１の第１係合部１４５に差し込まれて係合する。
【００６６】
（５）そして、図１１Ｅに示すように、係止部材１５とディスプレイフック本体１１が、軸線Ｏ１に沿って見たときに直交する向きに配置される。
また、係止部材１５は、第３壁部１５１及び第４壁部１５２によりディスプレイパネル２を表面と裏面から支持する。
【００６７】
第１実施形態に係るディスプレイセット１、ディスプレイフック１０によれば、第１係合部１４５と第２係合部１５５が、軸線Ｏ１に沿って見たときに直交（交差）する向きで係合し、基端部１４の第１支持部１４１Ｓ、第２支持部１４２Ｓがディスプレイパネル２を支持するとともに、係止部材１５の第３支持部１５１Ｓ、第４支持部１５２Ｓがディスプレイパネル２を支持する。
その結果、ディスプレイフック１０がディスプレイパネル２にしっかりと固定される。
また、ディスプレイパネル２、基端部１４、係止部材１５が、それぞれの面に対して互いに直交配置されて面外変形が抑制されるので、組み合わせた強度が向上するとともに、ディスプレイフック１０が平板状に形成されていても充分な強度を確保することができる。
【００６８】
また、ディスプレイセット１、ディスプレイフック１０によれば、第３支持部１５１Ｓが弾性変形部１５４により変位されてディスプレイパネル２の裏面側の面から挿入されるので、ディスプレイフック１０をディスプレイパネル２に容易に取り付けることができる。
【００６９】
また、ディスプレイセット１、ディスプレイフック１０によれば、第１壁部１４１に係止穴１４６が形成され、第３壁部１５１に係合突部１５６が形成され、係合突部弾性変形部１５７によって係合突部１４６の位置が変位可能とされているので、係合突部１５６を係合穴１５６に容易に係止さ得ることができる。
その結果、ディスプレイフック１１と係合部材１５をしっかりと固定することができる。
【００７０】
また、ディスプレイフック１０によれば、係止穴１４６と第１溝部１４３Ｕとを接続する接続溝１４７を備えているので、打ち抜きによって第１壁部１４１
の外周縁を形成する際に、係合穴１４６を一工程で形成することができる。その結果、製造コストを削減することができる。
【００７１】
また、ディスプレイフック１０によれば、ディスプレイフック本体１１と、係止部材１５が、紙材料により形成されているので、ディスプレイパネル２が紙材料で形成されて場合には、分別することなく、ごみとして処分することができる。また、脱プラスチックにより、マイクロプラスチックによる海洋汚染や地球温暖化など環境問題に対応することが可能である。
【００７２】
＜第２実施形態＞
以下、図１２を参照して、本発明の第２実施形態に係るディスプレイフックについて説明する。
図１２は、第２実施形態に係るディスプレイフック本体の概略構成を説明する概略構成図である。
図１２において、符号１１Ａはディスプレイフック本体を示している。
第２実施形態が第１実施形態と異なるのは、ディスプレイフック本体１１に代えてディスプレイフック本体１１Ａを備えていて、接続溝１４７が形成されていない点であり、その他は第１実施形態と同様であるので説明を省略する。
このように、係合穴１４６を、接続溝１４７と接続することなく形成してもよい。
【００７３】
なお、この発明は上記実施の形態に限定されるものではなく、発明の趣旨を逸脱しない範囲において、種々の変更をすることが可能である。
【００７４】
＜第３実施形態＞
以下、図１３〜図２０Ｃを参照して、本発明の第３実施形態に係るディスプレイフックについて説明する。
図１３は、第３実施形態に係るディスプレイフックを説明する分解斜視図であり、図１４Ａ〜図１９は、ディスプレイセットにおけるディスプレイフックの概略構成を説明する拡大した図である。なお、図１３に示した係止部材１４Ｂは、ディスプレイパネルに取付けられた状態における向きに示している。
図１３〜図２０Ｃにおいて、符号１Ａはディスプレイセットを、符号２Ａはディスプレイパネルを、符号２２Ａはフック取付穴を、符号１０Ｂはディスプレイフックを、符号１１Ｂディスプレイフック本体を、符号１５Ｂは基端部を、符号１４Ｂは係止部材を示している。
【００７５】
ディスプレイセット１Ａは、図１３〜図１７に示すように、例えば、ディスプレイパネル２Ａと、ディスプレイフック１０Ｂと、を備えている。
ディスプレイパネル２Ａは、例えば、パネル本体２１と、フック取付穴部２２Ａとを備えている。フック取付穴部２２Ａは、図１３に示すように、例えば、長穴部２３に代えて、上下方向に長尺な長穴部２３Ａを備えている。その他は第１実施形態と同様であるので、同じ符号を付して説明を省略する。
【００７６】
ディスプレイフック１０Ｂは、図１３〜図１７に示すように、例えば、ディスプレイフック本体１１Ｂと、係止部材１４Ｂと、を備えている。
ディスプレイフック本体１１Ｂは、ディスプレイパネル２Ａの表面側（他方側Ｂ）からフック取付穴２２Ａに挿入され、フック取付穴２２Ａに取付けられた係止部材１４Ｂにより係止されディスプレイパネル２Ａに装着される。
【００７７】
そして、ディスプレイフック１０Ｂは、図１３〜図１７に示すように、ディスプレイフック本体１１Ｂ、係止部材１４Ｂを、ディスプレイパネル２Ａに取付けた状態で、ディスプレイフック本体１１Ｂ、係止部材１４Ｂを、ディスプレイパネル２Ａ、ディスプレイフック本体１１Ｂ、係止部材１４Ｂをなす平板のそれぞれの面方向が互いに直交するように構成されている。
【００７８】
ディスプレイフック本体１１Ｂは、図１８に示すように、例えば、フック本体部１２と、フック本体部１２の基端側１２Ｅに一体的に接続された基端部１５Ｂと、を備えている。
ディスプレイフック本体１１Ｂは、ディスプレイパネル２Ａの表面側（他方側Ｂ）から挿入される。フック本体部１２は、第１実施形態と同様であるので、同じ符号を付して説明を省略する。
【００７９】
基端部１５Ｂは、例えば、第１実施形態に係る係止部材１５（例えば、図９、図１０Ｃ参照）と同様の構成とされている。
具体的には、基端部１５Ｂは、ディスプレイパネル２Ａの表面側（他方側Ｂ）に露出する第４壁部１５２の仮想外縁部１５２Ｄの軸線Ｏ１近傍領域に、フック本体部１２の基端側１２Ｅが接続された構成とされている点で、第１実施形態と異なる。その他は、第１実施形態と同様であるので説明を省略する。
【００８０】
係止部材１４Ｂは、ディスプレイパネル２Ａの裏面側（一方側Ａ）からフック取付穴２２Ａに挿入されて、フック取付穴２２Ａの厚さ方向に沿った軸線Ｏ１周りに回動されている。
係止部材１４Ｂは、図１９に示すように、第１実施形態に係る基端部１４（例えば、図８Ｂ、図１０Ｂ参照）と同様の構成とされている。
具体的には、係止部材１４Ｂは、第１実施形態において、ディスプレイパネル２Ａの表面側（一方側Ａ）に露出した基端部１４の第１壁部１４１の仮想外縁部１４１Ｄに接続されていたフック本体部１２が接続されていない点で、第１実施形態と異なる。その他は、第１実施形態と同様であるので説明を省略する。
【００８１】
このような構成により、ディスプレイパネル２Ａ、ディスプレイフック本体１１Ｂ、基端部１５Ｂが互いの面に対して面外変形を抑制して、ディスプレイフック１０Ｂをディスプレイパネル２Ａに安定的に固定することができる。
【００８２】
次に、図２０Ａ〜図２０Ｃを参照して、ディスプレイフック１０Ｂの取付方法について説明する。図２０Ａ〜図２０Ｃは、第３実施形態に係るディスプレイフック取付方法の概略を説明する斜視図である。
【００８３】
（１）まず、図２０Ａに示すように、ディスプレイパネル２Ａの裏面側（一方側Ｂ）から、矢印Ｔ３方向に、フック取付穴２２Ａに係止部材１４Ｂを挿入する。
具体的には、係止部材１４Ｂの第２壁部１４２を取付穴２２Ａを介してディスプレイパネル２Ａの表面側（他方側Ｂ）まで挿入する。
このとき、第１連結部１４３は、パネル本体２１の厚さ方向において、第１溝部１４３Ｕがフック取付穴２２Ａと対応するように挿入する。
【００８４】
（２）次に、図２０Ｂに示すように、係止部材１４Ｂを、フック取付穴２２Ａに対して矢印Ｃ２方向に回動する。
その結果、図２０Ｃに示すように、ディスプレイフック本体１１Ｂは、第１連結部１４３が、円形穴部２４内で軸線Ｏ１の周りに９０°回動され、長穴部２３Ａと直交（交差）する向きに配置される。
そして、係止部材１４Ｂは、ディスプレイパネル２Ａを表面側と裏面側から支持する。
【００８５】
（３）次いで、図２０Ｃに示すように、ディスプレイパネル２Ａの表面側（他方側Ｂ）から、矢印Ｔ４方向に、フック取付穴２２Ａにディスプレイフック本体１１Ｂの基端部１５Ｂを挿入する。
具体的には、ディスプレイフック本体１１Ｂの基端部１５Ｂの第３壁部１５１を取付穴２２Ａを介してディスプレイパネル２の裏面側（一方側Ａ）まで挿入する。このとき、第３支持部１５１Ｓは、弾性変形部１５４によって、フック取付穴２２Ａ、より具体的には長穴部２３Ａの幅よりも内方まで変位して、フック取付穴２２Ａを通過する。
そして、第２係合部１５５は係止部材１４Ｂの第１係合部１４５に差し込まれて係合する。また、係合突部１５６は、係合穴１４６と係合する。その結果、ディスプレイフック本体１１Ｂが係止部材１５Ｂにより係止される。
その結果、ディスプレイフック本体１１Ｂと係止部材１５が、軸線Ｏ１に沿って見たときに直交（交差）する向きに配置される。
また、ディスプレイフック本体１１Ｂは、第３壁部１５１及び第４壁部１５２によりディスプレイパネル２を表面と裏面から支持する。
【００８６】
第３実施形態に係るディスプレイフック１０Ｂによれば、係止部材１４Ｂを軸線Ｏ１周りに回動するので、回動作業を行いやすい。
【００８７】
また、ディスプレイフック１０Ｂによれば、ディスプレイフック本体１１Ｂを回動する必要がないので、フック本体部１２に外力（例えば、ねじり力）が作用するのを抑制することができ、フック本体部１２が強度が低い場合でも破損するのを抑制することができる。
【００８８】
なお、この発明は上記実施の形態に限定されるものではなく、発明の趣旨を逸脱しない範囲において、種々の変更をすることが可能である。
例えば、基端部１４、１５Ｂ、係合部材１５、１４Ｂの構成については任意に設定することが可能であり、上記実施形態に限定されないことは言うまでもない。
【００８９】
また、上記実施形態においては、ディスプレイフック１０、１０Ｂを、軸線Ｏ１に沿って見たときに、基端部１４と係止部材１５、基端部１５Ｂと係止部材１４Ｂが互いに直交配置されている場合について説明したが、例えば、基端部１４、１５Ｂと係止部材１５、１４Ｂが９０°以外の角度で交差する構成としてもよい。
【００９０】
また、上記実施形態においては、ディスプレイフック１０、１０Ｂがバルガナイズドファイバー等の紙材料により形成されている場合について説明したが、バルガナイズドファイバー以外の紙材料で形成してもよいし、紙材料以外の材料により形成されていてもよい。また、フック本体部１２と基端部１４、１５Ｂ、係止部材１５、１４Ｂが異なる材料により形成されていてもよく、例えば、フック本体部１２だけがプラスチックや金属により形成されていてもよい。また、ディスプレイパネル２を形成する材料についても紙材料に限定されず任意に設定することができる。
【００９１】
また、上記実施形態においては、フック本体部１２が、長尺の平板状に形成されている場合について説明したが、フック本体部１２の形状については長尺な平板状に限定されることなく任意に設定してもよい。例えば、長尺な丸棒状や多角形（例えば、四角形）棒状に形成してもよいし、Ｕ字状やＪ字状に形成された構成とされてもよい。また、基端部の一部に一体的に形成された吊掛用凹部等によって構成してもよい。
【００９２】
また、フック本体部の数、接続する位置については任意に設定してもよい。
例えば、上記実施形態においては、フック本体部１２の基端側１２Ｅが、基端部１４、１５Ｂの外縁部（仮想外縁部）１４１Ｄ、１５１Ｄにおける軸線Ｏ１の近傍に接続されている場合について説明したが、フック本体部１２の基端側１２Ｅを接続する位置、形態は任意に設定することが可能であり、外縁部（仮想外縁部）１４１Ｄ、１５１Ｄにおける軸線Ｏ１と離れた位置に接続してもよい。
【００９３】
また、上記実施形態においては、第１壁部１４１に係合穴１４６が形成され、第３壁部１５１に係合突部１５６が形成されている場合について説明したが、これらを備えるかどうかは任意に設定してもよい。
【００９４】
また、上記実施形態においては、フック取付穴２２、２２Ａが長穴部２３、２３Ａと円形穴部２４とを備えている場合について説明したが、例えば、フック取付穴２２、２２Ａが長穴部２３、２３Ａだけを備えた構成とされてもよい。
【産業上の利用可能性】
【００９５】
本発明に係るディスプレイセットによれば、ディスプレイフック本体の基端部と、係止部材が、平板状に形成されていても、ディスプレイパネルに安定的に取り付けることができるので産業上利用可能である。
【符号の説明】
【００９６】
Ｏ１  軸線、１  ディスプレイセット、２、２Ａ  ディスプレイパネル、２１  パネル本体、２２、２２Ａ  フック取付穴、２３、２３Ａ  長穴部、２４  円形穴部、１０、１０Ｂ  ディスプレイフック、１１、１１Ａ、１１Ｂ  ディスプレイフック本体、１２Ｅ  基端側、１２Ｆ  先端側、１２  フック本体、１４、１５Ｂ  基端部、１４１  第１壁部、１４１Ｓ  第１支持部、１４２  第２壁部、１４２Ｓ  第２支持部、１４３  第１連結部、１４５  第１係合部、１４６  係合穴、１４７  接続溝、１５、１４Ｂ  係止部材、１５１  第３壁部、１５１Ｓ  第３支持部、１５２  第４壁部、１５２Ｓ  第４支持部、１５３  第２連結部、１５４  弾性変形部、１５５  第２係合部、１５６  係合突部、１５７  係合突部弾性変形部
【要約】
【課題】ディスプレイフック本体の基端部と、係止部材が、平板状に形成されていても、ディスプレイパネルに安定的に取り付けることが可能なディスプレイフック及びディスプレイセットを提供すること。
【解決手段】ディスプレイフックであって、フック本体部１２と前記フック本体部１２の基端側１２Ｅに接続される基端部１４とを有するディスプレイフック本体１１と、前記基端部１４と係合して前記ディスプレイフック本体１１をディスプレイパネル２に装着する係止部材１５と、を備え、前記基端部１４及び前記係止部材１５は、ディスプレイパネル２に挿入された状態で前記ディスプレイパネル２を支持するとともに、前記基端部１４及び前記係止部材１５は前記ディスプレイパネル２と直交して配置され、かつ前記基端部１４と前記係止部材１５は互いに交差して配置されている。
【選択図】図２【図１】
0006837695.tif 000002
【図２】
0006837695.tif 000003
【図３Ａ】
0006837695.tif 000004
【図３Ｂ】
0006837695.tif 000005
【図４Ａ】
0006837695.tif 000006
【図４Ｂ】
0006837695.tif 000007
【図５】
0006837695.tif 000008
【図６】
0006837695.tif 000009
【図７】
0006837695.tif 000010
【図８Ａ】
0006837695.tif 000011
【図８Ｂ】
0006837695.tif 000012
【図９】
0006837695.tif 000013
【図１０Ａ】
0006837695.tif 000014
【図１０Ｂ】
0006837695.tif 000015
【図１０Ｃ】
0006837695.tif 000016
【図１１Ａ】
0006837695.tif 000017
【図１１Ｂ】
0006837695.tif 000018
【図１１Ｃ】
0006837695.tif 000019
【図１１Ｄ】
0006837695.tif 000020
【図１１Ｅ】
0006837695.tif 000021
【図１２】
0006837695.tif 000022
【図１３】
0006837695.tif 000023
【図１４Ａ】
0006837695.tif 000024
【図１４Ｂ】
0006837695.tif 000025
【図１５Ａ】
0006837695.tif 000026
【図１５Ｂ】
0006837695.tif 000027
【図１６】
0006837695.tif 000028
【図１７】
0006837695.tif 000029
【図１８】
0006837695.tif 000030
【図１９】
0006837695.tif 000031
【図２０Ａ】
0006837695.tif 000032
【図２０Ｂ】
0006837695.tif 000033
【図２０Ｃ】
0006837695.tif 000034